(57)【要約】【課題】動作条件の設定を簡便に行うことができる測定装置を提供することを目的とする。【解決手段】動作条件を変更設定可能であり、この動作条件に対応して動作する本体１と測定ユニット２を備える測定装置であって、本体１が、音声信号を入力するためのマイク１４や外部マイク４０を接続するコネクタ１５と、音声信号を認識して文字情報に変換処理を行う音声認識部と、音声認識部の認識した文字情報に基づいて、動作条件を設定する動作条件設定部とを備えている。【選択図】図１
2014119341.tif 000002
【特許請求の範囲】
【請求項１】
動作条件を変更設定可能であり、この動作条件に対応して動作する測定装置であって、
音声信号を入力するための音声信号入力部と、
前記音声信号を認識して文字情報に変換する音声認識部と、
前記音声認識部の認識した文字情報に基づいて、前記動作条件を設定する動作条件設定部とを備えることを特徴とする測定装置。
【請求項２】
所定の語句に対応する前記動作条件の設定処理内容を予め記憶する処理内容辞書を備え、前記動作条件設定部が、前記音声認識部の認識した前記文字情報を、前記処理内容辞書に記憶されている前記所定の語句を参照して、前記動作条件に変換することを特徴とする請求項１に記載の測定装置。
【請求項３】
前記処理内容辞書が、前記所定の語句と、所定の複数の動作条件の設定処理内容とを対応させて予め記憶することを特徴とする請求項２に記載の測定装置。
【請求項４】
前記処理内容辞書が記憶する、前記所定の語句、及び／又は前記設定処理内容を、設定可能であることを特徴とする請求項２又は３に記載の測定装置。
【請求項５】
表示部を備え、前記動作条件設定部が前記動作条件を前記表示部に表示させることを特徴とする請求項１から４のいずれかに記載の測定装置。
【請求項６】
操作部を備え、前記動作条件設定部が、前記表示部に複数の動作条件を表示させ、前記操作部の操作で何れの前記動作条件を設定するかを選択可能であることを特徴とする請求項５に記載の測定装置。
【請求項７】
操作部を備え、前記動作条件設定部が、前記音声信号の入力、及び前記操作部の設定のいずれでも前記動作条件の設定を行えることを特徴とする請求項１から５のいずれかに記載の測定装置。
【請求項８】
前記測定装置が、本体と、測定データを測定する測定ユニットとを備え、この本体及び測定ユニットが各々無線通信部を備えて、無線通信で測定ユニットから測定データを前記本体に送信するものであり、
前記本体が、前記音声入力部、前記音声認識部、前記動作条件設定部を備えて、
前記測定ユニットの動作条件が前記本体で設定されて、前記本体から無線通信で前記測定ユニットに送信されることを特徴とする請求項１から７のいずれかに記載の測定装置。
【発明の詳細な説明】
【技術分野】
【０００１】
本発明は、簡便に動作条件を変更設定可能な測定装置に関するものである。
【背景技術】
【０００２】
電圧や電流等の電気的特性、重量や長さ等の機械的特性、温度、湿度、風向、流量、照度などの測定データ（測定値）を測定する測定装置では、測定を行うための測定条件や表示部の表示条件など、種々の動作条件の設定を行う必要がある。
【０００３】
例えば、特許文献１には、設定画面に表示された設定項目を、測定者がカーソルキーを押すことで選択したり、画面に表示されるファンクションキーを、測定者がスイッチキーを押すことで選択したりすることで、測定条件が設定される測定装置が記載されている。
【０００４】
測定者が、手指でキーを押して測定装置に動作条件を設定する作業は煩雑である。特に、測定装置が多機能になるほど、又、測定チャネル数が多くなるほど、動作条件の設定数が多くなり、設定作業が大変になる。
【先行技術文献】
【特許文献】
【０００５】
【特許文献１】特開２００２−５４９５３号公報
【発明の概要】
【発明が解決しようとする課題】
【０００６】
本発明は前記の課題を解決するためになされたもので、動作条件の設定を簡便に行うことができる測定装置を提供することを目的とする。
【課題を解決するための手段】
【０００７】
前記の目的を達成するためになされた、特許請求の範囲の請求項１に記載された測定装置は、動作条件を変更設定可能であり、この動作条件に対応して動作する測定装置であって、音声信号を入力するための音声信号入力部と、前記音声信号を認識して文字情報に変換する音声認識部と、前記音声認識部の認識した文字情報に基づいて、前記動作条件を設定する動作条件設定部とを備えることを特徴とする。
【０００８】
請求項２に記載された測定装置は、請求項１に記載されたものであり、所定の語句に対応する前記動作条件の設定処理内容を予め記憶する処理内容辞書を備え、前記動作条件設定部が、前記音声認識部の認識した前記文字情報を、前記処理内容辞書に記憶されている前記所定の語句を参照して、前記動作条件に変換することを特徴とする。
【０００９】
請求項３に記載された測定装置は、請求項２に記載されたものであり、前記処理内容辞書が、前記所定の語句と、所定の複数の動作条件の設定処理内容とを対応させて予め記憶することを特徴とする。
【００１０】
請求項４に記載された測定装置は、請求項２又は３に記載されたものであり、前記処理内容辞書が記憶する、前記所定の語句、及び／又は前記設定処理内容を、設定可能であることを特徴とする。
【００１１】
請求項５に記載された測定装置は、請求項１から４のいずれかに記載されたものであり、表示部を備え、前記動作条件設定部が前記動作条件を前記表示部に表示させることを特徴とする。
【００１２】
請求項６に記載された測定装置は、請求項５に記載されたものであり、操作部を備え、前記動作条件設定部が、前記表示部に複数の動作条件を表示させ、前記操作部の操作で何れの前記動作条件を設定するかを選択可能であることを特徴とする。
【００１３】
請求項７に記載された測定装置は、請求項１から５のいずれかに記載されたものであり、操作部を備え、前記動作条件設定部が、前記音声信号の入力、及び前記操作部の設定のいずれでも前記動作条件の設定を行えることを特徴とする。
【００１４】
請求項８に記載された測定装置は、請求項１から７のいずれかに記載されたものであり、前記測定装置が、本体と、測定データを測定する測定ユニットとを備え、この本体及び測定ユニットが各々無線通信部を備えて、無線通信で測定ユニットから測定データを前記本体に送信するものであり、前記本体が、前記音声入力部、前記音声認識部、前記動作条件設定部を備えて、前記測定ユニットの動作条件が前記本体で設定されて、前記本体から無線通信で前記測定ユニットに送信されることを特徴とする。
【発明の効果】
【００１５】
本発明の測定装置によれば、音声認識部の認識した文字情報に基づいて動作条件を設定することができるので、測定者はマイクに向かって話すだけでよいので、動作条件を簡便に設定することができる。
【００１６】
所定の語句に対応する動作条件の設定処理内容を予め記憶する処理内容辞書を備え、この処理内容辞書に記憶されている前記所定の語句を参照して動作条件に変換する場合、音声信号を処理内容に確実に変換することができため、動作条件の設定を迅速かつ正確に行うことができる。
【００１７】
処理内容辞書が、所定の語句と、所定の複数の動作条件の設定処理内容とを対応させて予め記憶する場合、複数の動作条件を、一括して設定することができる。
【００１８】
処理内容辞書が記憶する、所定の語句、及び／又は設定処理内容を設定可能である場合、測定者が行う測定内容に適した語句や処理内容を記憶させることができるので、動作条件の設定を一層簡便に行うことができる。
【００１９】
動作条件設定部が動作条件を表示部に表示させる場合、測定者は音声認識で正しい設定が行えたか否かを確認することができる。
【００２０】
動作条件設定部が表示部に複数の動作条件を表示させ、操作部の操作で何れの動作条件を設定するかを選択可能である場合、操作により動作条件を選択でき、音声信号で動作条件を設定できるので、迅速な設定を行うことができる。
【００２１】
動作条件設定部が、音声信号の入力、及び操作部の設定のいずれでも動作条件の設定を行える場合、測定者の好みや慣れで設定方法を使い分けたり、設定項目の内容で設定方法を使い分けたりすることができる。
【００２２】
測定装置が本体と測定ユニットとを備え、無線通信で測定ユニットから測定データを本体に送信するものであり、測定ユニットの動作条件が本体で設定されて、本体から無線通信で測定ユニットに送信される場合、本体で一括して測定ユニットの動作条件を管理でき、又、測定ユニットが動作条件を設定するための構成を備えなくてよいので測定ユニットを簡便な構成にすることができる。
【図面の簡単な説明】
【００２３】
【図１】本発明を適用する測定装置の使用状態を示す概要図である。
【図２】本発明を適用する測定装置のうちの本体のブロック図である。
【図３】本発明を適用する測定装置のうちの測定ユニットのブロック図である。
【図４】動作条件設定モードの動作を説明するフローチャートである。
【図５】動作条件設定画面の表示例を示す本体の表示部の正面図である。
【図６】処理内容辞書の内容を示すテーブルである。
【発明を実施するための形態】
【００２４】
以下、本発明を実施するための形態を詳細に説明するが、本発明の範囲はこれらの形態に限定されるものではない。
【００２５】
本発明を適用する測定装置の一例を、図１に示す。この測定装置は、例えばデータロガーであり、本体１、及び測定ユニット２（２1，２2，２3）を備え、各測定ユニット２の測定した測定データを本体１に無線で送信可能に構成されている。
【００２６】
本体１には、一例として、携帯型の筐体の正面に、表示部２１、複数の操作ボタンによる操作部２２、及びマイク１４が設けられていると共に、筐体の一側面に、外部マイク接続用のコネクタ１５が設けられ、他の一側面に、外部Ｉ／Ｆ（インタフェース）部２８、及びメディアスロット２９が設けられている。本体１は、各測定ユニット２が無線で送信する測定データを受信して記録し、表示部２１にグラフや数値で表示する。
【００２７】
測定ユニット２には、一例として、携帯型の小型の筐体に、複数の測定チャネル分の測定用センサー８１，８１・・・が着脱可能に接続されている。ここでは、測定ユニット２1は、管理番号が『１』あり、測定チャネルとして、１−１、１−２、・・・１−ｎ（ｎは正の整数）を有している例を示している。同様に、この例では、測定ユニット２2は、管理番号が『２』であり、測定チャネルとして、２−１、２−２、・・・２−ｍ（ｍは正の整数）を有し、測定ユニット２3は、管理番号が『３』であり、測定チャネルとして、３−１、３−２、・・・３−ｐ（ｐは正の整数）を有している例を示している。
【００２８】
図２に、本体１のブロック図を示す。本体１は、本体制御部となるＣＰＵ（中央演算処理装置）１１、無線通信部１２、音声入力部１３、表示部２１、操作部２２、測定データ記憶部２３、動作条件記憶部２４、処理内容辞書２５、音声認識部２６、外部Ｉ／Ｆ部２８、及びメディアスロット２９を備えている。又、図示しないが、本体１は、電池を電源として内蔵している。
【００２９】
ＣＰＵ１１は、プログラム記憶部（不図示）に記憶されているプログラムに従って動作して、本体１の動作を統括的に制御する。ＣＰＵ１１は、本発明における動作条件設定部としても動作する。
【００３０】
無線通信部１２は、無線送信回路及び無線受信回路（不図示）を備えると共にアンテナを備え、各測定ユニット２の動作条件や測定データを、後述する測定ユニット２の無線通信部３２（図３参照）と無線で通信（送受信）可能なものである。
【００３１】
無線通信部１２には、公知のものを用いることができる。例えば、測定データ等で変調する無線信号の変調方式、無線信号周波数、無線信号の送信出力、半複信方式か複信方式か、無線通信規格などは、適宜公知の方式から選択して用いればよい。無線通信部１２が送受信する無線信号は、電波、赤外線、又は光のいずれの無線信号であってもよいが、見通し外でも通信できることや通信距離を比較的長くできることから電波を用いることが好ましい。無線通信部１２は、ＣＰＵ１１に動作を制御される。
【００３２】
１０ｍ〜数１００ｍ程度の近距離通信を行う場合、無線通信部１２として、Ｂｌｕｅｔｏｏｔｈ（登録商標）規格に準拠したものを用いることが、特に好ましい。その理由は、Ｂｌｕｅｔｏｏｔｈ規格に準拠した小型の無線モジュールが、多くのメーカーから安価に市販されていて入手性が良く、又、使用のための免許が不要なためである。又、Ｂｌｕｅｔｏｏｔｈ規格に準拠した無線モジュールの中には、アンテナも内蔵しているものが多いので、そのようなものを使用することで、装置を小型化することができる。さらに、Ｂｌｕｅｔｏｏｔｈ規格に準拠した無線モジュールの中には、データの他に音声信号を無線通信するために、音声信号をアナログ／デジタル変換するＰＣＭ（パルス符号変調）変換器を備えているものがあり、そのＰＣＭ変換器を後述するＡＤＣ１８として用いることで、部品点数を少なくすることができ、装置を一層小型化することができる。
【００３３】
音声入力部１３は、動作条件を設定するために、音声信号を入力するための回路である。この例では、音声入力部１３は、マイク１４、コネクタ１５、切換回路１６、マイクアンプ１７、及びＡＤＣ（アナログ／デジタル変換器）１８によって構成されている。マイク１４は、音（音声）を電気信号に変換して音声信号を入力するためのものである。コネクタ１５は、外部から音声信号を入力するためのものであり、外部マイク４０（図1参照）のプラグ４１を挿入可能な例えばジャックである。この例では、マイク１４及びコネクタ１５の両方を備える例を示しているが、何れか一方だけを備えるようにしてもよい。切換回路１６は、外部マイク４０がコネクタ１５に接続されたときに、外部マイク４０を生かすように切り換え、外部マイク４０が接続されないときに、内部のマイク１４を生かすように切り替えるスイッチ回路である。切換回路１６を用いずに、マイク１４及び外部マイク４０を両方生かすようにしてもよい。切換回路１６の出力は、音声信号を適切なレベルに増幅するマイクアンプ１７に接続されている。マイクアンプ１７の出力は、音声信号を所定サンプリング周波数でサンプリングしてデジタル信号（例えばＰＣＭ信号）に変換するＡＤＣ１８に接続されている。ＡＤＣ１８の出力はＣＰＵ１１に接続されている。
【００３４】
表示部２１は、例えば液晶パネルであり、ＣＰＵ１１に制御されて、例えば測定ユニット２から受信した測定データをグラフや数値で表示したり、動作条件設定用画面を表示したりするものである。
【００３５】
操作部２２は、カーソルキー２２ａ、機能選択ボタン、数値入力ボタンやキーボード、マウスなどであり、ＣＰＵ１１に接続されている。操作部２２の中には、チャネル移動ボタン２２ｂ（図１参照）が配置されている。表示部２１及び操作部２２として、タッチパネルを用いてもよい。
【００３６】
測定データ記憶部２３は、測定データを記憶するためのものである。動作条件記憶部２４は、設定された測定条件や表示条件などの動作条件を記憶するためのものである。処理内容辞書２５は、所定の語句に対応する動作条件の設定処理内容を記憶するメモリである。処理内容辞書２５は、所定の語句や設定処理内容を、追加や変更ができるように設定可能な不揮発性メモリであることが好ましい。測定データ記憶部２３、動作条件記憶部２４、処理内容辞書２５は、フラッシュＲＯＭやハードディスクなどの書き換え可能な不揮発性メモリを、共用して用いてもよいし、各々別個のメモリを用いてもよい。
【００３７】
音声認識部２６は、ヒトが話した内容を、その音声（音声信号）を解析処理することで認識し、文字情報として出力するものである。音声認識部２６として、公知の種々のものを用いることができる。音声認識部２６は、例えば、ＣＰＵと音声認識処理を行うための公知の音声認識用プログラムとによって実現されている。音声認識部２６のＣＰＵを、ＣＰＵ１１と共用してもよいし、別個のものを用いてもよい。
【００３８】
外部Ｉ／Ｆ部２８は、例えば有線又は無線によるＬＡＮ（ローカル・エリア・ネットワーク）接続用の回路やＵＳＢ（ユニバーサル・シリアル・バス）接続用の回路であり、例えばコンピュータなどの外部装置に測定データを出力するためのものである。メディアスロット２９は、ＳＤメモリカードやＵＳＢメモリ、フレキシブルディスクなどの外部記録媒体を装着して、測定データを書き込むための回路である。
【００３９】
図３に、測定ユニット２のブロック図を示す。測定ユニット２は、測定ユニット制御部となるＣＰＵ３１、無線通信部３２、センサー接続用コネクタ３３，３３・・・、測定用回路３４、及び動作条件記憶部３５を備えている。又、図示しないが、測定ユニット２は、電池を電源として内蔵している。
【００４０】
ＣＰＵ３１は、プログラム記憶部（不図示）に記憶されているプログラムに従って動作して、測定ユニット２の動作を統括的に制御する。
【００４１】
無線通信部３２は、本体１の無線通信部１２と同様のものであり、本体１の無線通信部１２と、動作条件の設定データ、測定データを、無線で通信（送受信）可能なものである。無線通信部３２は、その動作をＣＰＵ３１に制御される。無線通信部３２として、Ｂｌｕｅｔｏｏｔｈ規格に準拠したものを用いることが特に好ましい。
【００４２】
センサー接続用コネクタ３３には、測定用センサー８１が接続されて使用される。センサー接続用コネクタ３３，３３・・・は、測定チャネル分設けられている。測定用センサー８１は、例えば温度センサー、湿度センサー、風向センサー、圧力センサー、流量センサー、照度センサー、電気的な特性値を測定する例えば電流センサー、機械的な特性値を測定する例えば歪センサーなどである。センサー接続用コネクタ３３を設けずに測定ユニット２に測定用センサー８１のケーブルが着脱不能に接続されていてもよく、測定ユニット２内に測定用センサー８１が内蔵されていてもよい。又、例えば測定ユニット２が電圧値を測定する場合、センサー接続用コネクタ３３が測定用プローブを接続するためのＢＮＣ型コネクタであってもよく、一対の銅線を有する端子台であってもよい。測定対象に対応するように、センサー接続用コネクタ３３や測定用センサー８１は、適宜変更すればよい。
【００４３】
測定用回路３４は、一例として測定信号を適正なレベルに増幅するための低ノイズアンプ、及びＡＤＣを、測定チャネル数分備えている。センサー接続用コネクタ３３、測定用回路３４、ＣＰＵ３１の順に接続されていて、測定用センサー８１の出力する測定信号がデジタル信号に変換されてＣＰＵ３１に入力されるようになっている。
【００４４】
動作条件記憶部３５は、動作条件を記憶するためのものであり、例えばフラッシュメモリなどの書き換え可能な不揮発性メモリである。
【００４５】
次に、本体１及び測定ユニット２を備える測定装置の動作について説明する。
【００４６】
測定者は、各測定ユニット２を各測定対象の近くに配置して、各測定ユニット２の測定用センサー８１，８１・・・を測定対象に取り付ける。そして、測定を行うために、測定条件や、測定データを表すグラフの表示部２１への表示条件などの測定装置の動作条件を設定する。動作条件の設定は、各測定ユニット２の測定条件も含めて本体１で行う。これは、本体１で全ての測定条件を設定したほうが管理を簡便に行えることと、測定ユニット２を小型化するために、測定ユニット２に表示部や操作部を設けていないためである。
【００４７】
動作条件を設定するために、測定者は操作部２２を操作して、本体１を動作条件設定モードで動作させる。
【００４８】
図４に、動作条件設定モードにおけるＣＰＵ１１（図２参照）の動作を表すフローチャートを示す。
【００４９】
ＣＰＵ１１は、操作部２２の操作で動作条件設定モードが選択されると、本発明における動作条件設定部として動作する。動作条件設定モードでは、ＣＰＵ１１は、音声入力部１３が出力するデジタルの音声信号を、音声認識部２６に出力して音声認識を開始させる（ステップＳ１）。音声認識部２６は、音声入力部１３が出力する音声信号をリアルタイムに音声認識して、認識した文字情報をＣＰＵ１１に出力する。なお、音声入力部１３及び音声認識部２６には、音声認識するときにだけ電源を供給することが、省電力化の観点から好ましい。
【００５０】
続いて、ＣＰＵ１１は、表示部２１に『動作条件設定画面』を表示させる（ステップＳ２）。
【００５１】
図５に、『動作条件設定画面』の一例を示す。同図には、『ＵＮＩＴ １』で表される測定ユニット２１（管理番号１）の各測定チャネル１−１〜１−１５の動作条件が、一覧形式で表示されている例を示している。例えば測定チャネル１−１では、測定条件として、測定項目が『電圧』、測定レンジが『１０ｍＶ』に設定されており、表示条件として、表示場所の指定が『位置』（位置で指定）、表示倍率が『×１』（１倍）、その位置が『５０％』（表示領域の５０％の位置）に設定されている例を示している。これらの各々が本発明の動作条件に相当に相当する。このように、複数の動作条件を表示部２１に表示させることで、測定者が動作条件を認識しやすく、設定を効率的に行いやすい。
【００５２】
ＣＰＵ１１は、動作条件記憶部２４に、動作条件の初期値や、前回設定した動作条件が記憶されているときには、それらの値を読み込んで最初に表示させる。
【００５３】
動作条件は、これらの例に限られず、例えば、測定開始トリガ設定、サンプリング期間、測定開始／終了時間、測定期間、フィルタの入／切、測定データに対する演算の有無、演算式の選択／設定、単位系の設定、測定データの平均化処理の設定、測定データの統計処理の設定、アラーム設定、表示色の設定、表示するグラフの種別の設定、測定データの出力（記録や表示、印刷）先の設定、測定中の表示部のオン／オフ設定など、測定装置の動作に関する設定であればどのようなものであってもよい。
【００５４】
同図の例では、『ＵＮＩＴ １』の動作条件を示しているが、測定者が『ＵＮＩＴ ２』『ＵＮＩＴ ３』を選択することで、測定ユニット２ごとの動作条件が、一覧表形式で表示される。全ての測定ユニット２の動作条件を１画面に表示させてもよい。又、１つの測定ユニットの１チャネルの動作条件だけを表示させるようにしてもよい。
【００５５】
図６に示すように、処理内容辞書２５には、『動作条件設定画面』の各動作条件の設定処理を音声で行えるように、設定に用いられる所定の語句に対応付けて、動作条件の設定処理内容を一例としてテーブル形式で予め記憶させておく。つまり、処理内容辞書２５には、音声信号（文字情報）に対応する処理内容を予め記憶させておく。
【００５６】
例えば、「上」「下」「左」「右」の語句に対してカーソルの移動に関する処理内容を規定したり、カーソルが『入力』欄にあるときに「電圧」の語句で動作条件を『電圧』に設定するという処理内容を規定したりしている。「リスト」の語句に対してカーソルのある欄で設定可能な動作条件の一覧や数値範囲を表示部に表示させるようにしてもよい。又、例えばレンジ欄で、「１０」の語句でも「小」の語句でもレンジが『１０ｍＶ』に設定されるように、一つの設定を行うのに対して、音声で話される可能性のある複数の語句を処理内容辞書２５に記憶させておいてもよい。同図の例は、処理内容辞書２５に記憶されている所定の語句及び設定処理内容の一部であり、測定者が設定のために話す可能性のある語句を、処理内容辞書２５に予め多数登録しておくことが好ましい。
【００５７】
例えば測定装置の製造販売メーカーが、所定の語句とそれに対する処理内容を、予め処理内容辞書２５に登録して装置を販売する。処理内容辞書２５の登録内容は、測定者によって、追加や変更を行えるようにすることが好ましい。又、処理内容辞書２５の登録内容は、所定の語句に対して、複数の動作条件を設定できるようにすることが好ましい。例えば、図６に示すテーブルの下の３つの各行は、測定者が、所定の語句に対して複数の動作条件を登録設定した例である。同図のテーブルの下から３行目は、「検査１」という語句に対して、ユニット１の全てのチャネル（１−１〜１−１５）の入力、レンジ、表示、倍率、位置の動作条件が同図のように処理設定される例を示している。
【００５８】
処理内容辞書２５への追加や変更は、図示しないが例えば操作部２２の操作によって処理内容辞書編集モードが選択されたときに、ＣＰＵ１１が、表示部２１に図６に示したテーブルの内容を表示して、操作部２２の操作や音声認識により、テーブルへの追加や変更を行えるようにする。又、例えば、外部Ｉ／Ｆ部２８で接続される外部のコンピュータや、メディアスロット２９に装着される外部記録媒体から新たなテーブルやテーブルの追加内容や変更内容を読み込んで、処理内容辞書２５に記憶させるようにしてもよい。又、処理内容辞書２５に製造販売メーカーが標準的な語句と処理内容とを記憶させ、メディアスロット２９に装着される外部記録媒体に、測定者が追加や変更した所定の語句や処理内容を記憶させ、処理内容辞書２５と外部記録媒体とを合わせて、処理内容辞書として用いるようにしてもよい。要は、ＣＰＵ１１が処理内容辞書を参照することができれば、どこにあってもよい。
【００５９】
図４のフローチャートに戻って説明を続けると、ステップＳ２で、ＣＰＵ１１が『動作条件設定画面』を表示させると、測定者は動作条件を設定するために、『動作条件設定画面』内の設定を行う動作条件の欄（位置）を選択する。選択を行うために、測定者は、マイク１４又は外部マイク４０（図１参照）に向かって、設定箇所を指定する語句を話す。例えば、測定者は、一例として「ユニット１」「１の４」「レンジ」又は「カーソル下（又は上、右、左）」のように話す。この測定者の話した言葉の音声信号が音声入力部１３から入力されて、音声認識部２６が、文字情報に変換する。ＣＰＵ１１は、音声認識部２６の出力する文字情報を、処理内容辞書２５に登録されている所定の語句を参照して処理内容を決定し、カーソルを、指定された動作条件の位置に移動させることで、動作条件を選択する（ステップＳ３）。
【００６０】
動作条件の選択は、例えば「カーソル下」のようにカーソルを移動させる語句だけで指定できるようにしてもよいが、例えば「ユニット１」のように設定を行う測定ユニット２の番号（例えば『ユニット１』）を示す項目名や、『レンジ』のように設定する動作条件を示す項目名で指定できる方が好ましい。このように『動作条件設定画面』に表示された項目名で指定できると、選択のために階層の深い選択が必要な場合や、カーソルを移動させるのに離れている箇所の項目を、迅速に選択できるため、設定を一層簡便に行うことができる。
【００６１】
図５の例では、選択された動作条件を白抜き文字で示している。ここでは、動作条件のうちの「チャネル１−４」の「レンジ」が選択されている例を示している。なお、「全てのチャネル」や「チャネル１−１から１−５」のように測定者が話すことで、ＣＰＵ１１は複数チャネルの動作条件を選択することもできる。
【００６２】
動作条件の選択を、操作部２２の操作で行うようにしてもよい。ＣＰＵ１１は、測定部２２の例えばカーソルキー２２ａ（図１参照）の上、下、左、右の操作に対応させてカーソルを移動させ、動作条件を選択する。又は、カーソルのチャネル移動にカーソルキー２２ａを割り当てず、操作部２２のチャネル移動ボタン２２ｂ（図１参照）の操作で、選択するチャネルが変わるようにしてもよい。例えば、ＣＰＵ１１は、チャネル移動ボタン２２ｂが押されるたびに、一つ下のチャネルの動作条件を選択する。この場合、『動作条件設定画面』に表示されている一番下のチャネルが選択された次は、一番上のチャネルに戻って選択されるようにする。カーソルのチャネル間の移動を、チャネル移動ボタン２２ｂで行うようにすると、操作が単純であるので容易に扱うことができる。又、操作部２２に一斉変換キーを設け、全てのチャネルの動作条件を選択できるようにしてもよい。要は、音声認識部２６による音声認識、及び／又は操作部２２の操作により、任意の動作条件を選択できればよい。音声認識及び操作部２２の操作で動作条件の選択を行えるようにすると、音声だけ又は操作部２２だけで設定する装置よりも、迅速に選択することができたり、測定者の好みや慣れに応じた何れかの方法で選択できたりするようになる。表示部２１としてタッチパネルを用いると、一層簡便に選択することができる。
【００６３】
続いて、測定者は、マイク１４又は外部マイク４０に向かい、設定する動作条件を示す所定の語句を話す。例えば、レンジを２０ｍＶに設定する場合、測定者はマイク１４に「２０（にじゅう）」という音声を発する。この音声信号が音声入力部１３から入力され、音声認識部２６が「２０（にじゅう）」という文字情報に変換する。ＣＰＵ１１は、処理内容辞書２５を参照し、この文字情報から動作条件（『２０ｍＶ』）を決定する（ステップＳ４）。続いて、ＣＰＵ１１は、決定した動作条件を『動作条件設定画面』に表示させ、動作条件記憶部２４に記憶させる（ステップＳ５）。
【００６４】
ＣＰＵ１１は、音声認識部２６の認識した語句が、処理内容辞書２５に登録されていない場合や音声認識が行えなかった場合に、登録がない旨を示す案内表示や、再度音声を話すように促す案内表示を、表示部２２に表示させるようにしてもよい。
【００６５】
動作条件の設定を、音声認識、及び／又は操作部２２の操作で行えるようにしてもよい。例えば、全ての動作設定を、音声認識でも行えるし、操作部２２の操作でも行えるようにしておき、測定者が任意の方法を選択できるようにしてもよい。測定者は、例えば任意の数値設定や多数の選択肢の中から選択を行う設定や階層を深く選択する必要のある設定などの複雑な設定は音声認識で設定し、例えば二者択一のように簡単な設定は操作部の操作で設定するように、設定に適した方法を選ぶことができる。
【００６６】
ＣＰＵ１１は、ステップＳ６で、音声信号で「終了（しゅうりょう）」の語句が話されるまで、又は操作部２２の操作で動作条件設定モードの設定終了の操作が行われるまで、ステップＳ３〜Ｓ６のループを繰り返し、動作条件の設定処理を行う。
【００６７】
ＣＰＵ１１は、ステップＳ６で設定終了したときに、ステップＳ７で、各測定ユニット２の動作条件を、無線通信部１２から送信して設定する。各測定ユニット２のＣＰＵ３５は、無線通信部３２が受信した動作条件を、動作条件記憶部３５に記憶させる。
【００６８】
ＣＰＵ１１は、ステップＳ８で、音声認識部２６に音声認識を終了させる。以上で、動作条件設定モードが終了する。
【００６９】
本体１が操作されて、測定モードで動作を開始すると、本体１のＣＰＵ１１は、各測定ユニット２に測定開始コマンドを送信する。測定ユニット２のＣＰＵ３１は、測定開始コマンドを受信したときに、動作条件記憶部３５に記憶されている動作条件（測定条件）で測定を行い、測定データを順次本体１に送信する。本体１のＣＰＵ１１は、測定データを受信して、動作条件記憶部２４に記憶された動作条件（表示条件）で測定データを表示部２１にグラフ表示する。又、本体１のＣＰＵ１１は、受信した測定データを測定データ記憶部２３に記憶させる。
【００７０】
このように、音声で動作条件を設定できるので、測定者がキー操作だけで設定を行う場合より、動作条件を簡便に設定することができる。又、表示部や操作部の無い各測定ユニット２の動作条件を、本体１で設定することができる。又、各測定ユニット２に無線で動作条件を設定できるので、各測定ユニット２の場所まで行って、例えば動作条件の記録された外部記録媒体を測定ユニット２に装着するなどの設定作業を行わずに、迅速に設定を行うことができる。
【００７１】
測定装置が、互いに無線通信する本体１と測定ユニット２とによって構成される例について説明したが、本体１と測定ユニット２とが一体型になった測定装置、つまり、測定回路や表示部、操作部が一つの筐体内に収容されている一体型の測定装置に本発明を適用して、音声で動作条件を設定できるようにしてもよい。
【００７２】
また、操作部２２や外部マイク４０に音声入力スイッチを設け、例えば音声入力スイッチが押され続けている間のように、音声入力スイッチが操作されたときにだけ、音声認識部２６が音声認識するようにしてもよい。このように音声入力スイッチを設けることで、意図しない音や測定者の会話音声で、動作条件が誤設定されてしまうことを防止することができる。同様の理由から、動作設定用の音声を話す前に「スタート」などの音声の入力開始を示す開始語句を話すようにしてもよいし、動作設定用の音声を話し終わった後に「ストップ」などの音声の入力終了を示す終了語句を話すようにしてもよい。この場合、開始語句や終了語句、及び処理内容を、予め処理内容辞書２５に登録しておく。
【００７３】
音声認識部２６を常時動作させておき、測定装置の全ての操作を音声認識で行うことができるようにしてもよい。動作条件設定モードの選択を、音声認識で行うようにしてもよい。
【００７４】
又、音声認識部２６が出力した文字情報を、処理内容辞書２５を参照して、例えば図６に示すように「２０（にじゅう）」や「中（ちゅう、ちゅうかん）」の語句で動作条件（例えば『２０ｍＶ』）を設定する例について説明したが、処理内容辞書２５を用いずに、音声認識部２６が出力する文字情報を、そのまま動作条件の内容として設定するようにしてもよい。この場合、動作条件として設定可能な内容を、例えば「２０ｍＶ（にじゅうみりぼると）」のように、正確に話す必要があると共に、音声認識部２６は「にじゅうみりぼると」が「２０ｍＶ」であると認識できる必要がある。したがって、処理内容辞書２５を用いたほうが、音声信号を処理内容に確実に変換できるため、動作条件の設定を迅速かつ正確に行うことができる。
【符号の説明】
【００７５】
１は本体、１−１〜１−ｎ、２−１〜２−ｍ、３−１〜３−ｐは測定チャネル、２・２1・２2・２3は測定ユニット、１１はＣＰＵ、１２は無線通信部、１３は音声入力部、１４はマイク、１５はコネクタ、１６は切換回路、１７はマイクアンプ、１８はＡＤＣ、２１は表示部、２２は操作部、２２ａはカーソルキー、２２ｂはチャネル移動ボタン、２３は測定データ記憶部、２４は動作条件記憶部、２５は処理内容辞書、２６は音声認識部、２８は外部Ｉ／Ｆ部、２９はメディアスロット、３１はＣＰＵ、３２は無線通信部、３３はセンサー接続用コネクタ、３４は測定用回路、３５は動作条件記憶部、４０は外部マイク、４１はプラグ、８１は測定用センサーである。
【図１】
2014119341.tif 000003
【図２】
2014119341.tif 000004
【図３】
2014119341.tif 000005
【図４】
2014119341.tif 000006
【図５】
2014119341.tif 000007
【図６】
2014119341.tif 000008